(57)【要約】      （修正有）【課題】載置台の高さを容易に調整できるようにする骨つぼ載置台を提供する。【解決手段】骨つぼ載置台に着脱自在の高さ調節部材を配設し、当該調節部材の着脱によって骨つぼ載置台の高さを調節すべく構成する。載置台１は、主として略円形で上面２を平らとし、周面を蓮華模様とした蓮台４と、当該蓮台４の下方に配設する台座３により構成されており、蓮台４と台座３の間には高さ調整を目的とした着脱自在の調整部材５を介在せしめている。【選択図】図１
0003158532.tif 000002
【実用新案登録請求の範囲】
【請求項１】
着脱自在の高さ調節部材を配設してなる高さ調節自在の骨つぼ載置台。
【請求項２】
蓮華と台座からなる載置台において、当該蓮華と台座間に着脱自在の高さ調節部材を介在せしめてなる請求項１の高さ調節自在の骨つぼ載置台。
【請求項３】
上下蓮華からなる載置台において、上蓮華と下蓮華間に着脱自在の高さ調節部材を介在せしめてなる請求項１の高さ調節自在の骨つぼ載置台。
【請求項４】
上下蓮華と台座からなる載置台において、上下蓮華と台座間に着脱自在の高さ調節部材を介在せしめてなる請求項１の高さ調節自在の骨つぼ載置台。
【考案の詳細な説明】
【技術分野】
【０００１】  本考案は、故人の遺骨を納骨する骨つぼの載置台に関するものである。
【背景技術】
【０００２】  従来より骨つぼは白の陶磁器製の蓋付容器が一般的であり、格別に個性的な形状のものはみかけない。骨つぼの周面及び蓋に模様を描いたものは見かけるが、それは単に美観を対象とした模様であり、宗教的意味合いのある模様でもなかった。このように骨つぼは、先祖、故人の悠久の寝所などといわれながら、現在のほとんどの骨つぼが、単なる遺骨収納用の容器となっているのが現状ではないだろうか。【０００３】  仏教の代表的な花は蓮、蓮華であることは知られている。古代インドでは蓮は女性の母体（胎臓）と考えられ、多産・豊穣・幸運・繁栄・長寿・健康を表わしている。『霊山往生』とは浄土の蓮池に咲く蓮華の中で一瞬のうちに不思議な誕生をすることで、悟りを開いて仏になった証として仏様は蓮台に乗っておられます。お位牌の蓮華台を設けるのも、亡き人が成仏し霊山往生した証なのである。【０００４】  このような問題を解決せんとして出願人は、先に骨つぼの下部に蓮華を施した骨つぼを提案し好評を得ているが、現実には蓮華を施されていない通常の骨つぼが数多く市販されているのが現状である。【０００５】  また最近では納骨堂に、ロッカー形式の納骨堂が増加している。当該ロッカー形式の納骨堂にあっても、骨つぼを収める納骨室、即ちロッカーの大きさは定められておらず、大きさがまちまちというのが現状である。【０００６】  このようなことから、骨つぼと骨つぼ載置台を組み合わせたものにあっては、高さが制限を受け、納骨室に収められないという問題もあった。
【考案の開示】
【考案が解決しようとする課題】
【０００７】  解決しようとする問題点は、骨つぼ載置台の高さを容易に調整できるようにすること、これが考案が解決しようとする課題である。
【課題を解決するための手段】
【０００８】  骨つぼ載置台に着脱自在の高さ調節部材を配設し、当該調節部材の着脱によって骨つぼ載置台の高さを調節すべく構成すること、これが課題を解決するための手段である。
【考案の効果】
【０００９】  着脱自在の高さ調節部材を配設してなる高さ調節自在の骨つぼ載置台であり、更には蓮華と台座からなる載置台において、当該蓮華と台座間に着脱自在の高さ調節部材を介在せしめてなる高さ調節自在の骨つぼ載置台であり、更には、上下蓮華からなる載置台において、上蓮華と下蓮華間に着脱自在の高さ調節部材を介在せしめてなる高さ調節自在の骨つぼ載置台であり、更には、上下蓮華と台座からなる載置台において、上下蓮華と台座間に着脱自在の高さ調節部材を介在せしめてなる高さ調節自在の骨つぼ載置台であるから、従来、一般に市販されている骨つぼは陶磁器の単なる白いつぼであったが、本考案は周面に蓮華を形成してなる骨つぼ載置台であるので、従来の骨つぼを当該骨つぼ載置台の上に載置して骨つぼと載置台を略一体化すれば、骨つぼの下部周面に蓮華模様を施した陶磁器製骨つぼと同様になり、外観的にも骨つぼの下方に蓮華があることから豪華であり、また美麗である。しかも、骨つぼが蓮華台に載置されている状態になるので、当該蓮華は納骨される亡き人が成仏し霊山往生できるといわれていることから、骨つぼとしても誠に意義がある。しかも、蓮華と飾り台座の間、上下蓮華の上蓮華と下蓮華の間、更には上下蓮華と台座の間等に着脱自在の高さ調節部材を介在せしめているので、当該高さ調節部材の着脱で骨つぼの高さを調節できることから、骨つぼを収めるのに高さに制限を受けるロッカー形式の納骨室にあっても、何の不具合もなく骨つぼを収めることが出来る等、極めて顕著なる実用的効果を有するものである。
【考案を実施するための最良の形態】
【００１０】  本考案は、着脱自在の高さ調節部材を配設してなる高さ調節自在の骨つぼ載置台であり、更には蓮華と台座からなる載置台において、当該蓮華と台座間に着脱自在の高さ調節部材を介在せしめてなる高さ調節自在の骨つぼ載置台であり、更には、上下蓮華からなる載置台において、上蓮華と下蓮華間に着脱自在の高さ調節部材を介在せしめてなる高さ調節自在の骨つぼ載置台であり、更には、上下蓮華と台座からなる載置台において、上下蓮華と台座間に着脱自在の高さ調節部材を介在せしめてなる高さ調節自在の骨つぼ載置台を呈せんとするものである。
【実施例１】
【００１１】  載置台１は、主として略円形で上面２を平らとし、周面を蓮華模様とした蓮台４と、当該蓮台４の下方に配設する台座３により構成されており、蓮台４と台座３の間には高さ調整を目的とした着脱自在の調整部材５を介在せしめている。蓮華模様の形態については実施例に限定を受けるものではない。また図示はしていないが、台座３は、台座３の周面に適宜の飾り模様を施した飾り台座とすることもある。尚、調整部材５の枚数については複数枚とするが枚数に限定を受けるものではない。
【実施例２】
【００１２】  載置台１は、主として略円形で上面２を平らとし、上蓮華と下蓮華を分離自在とした上下蓮華からなる蓮台４と、当該蓮台４の下部に配設する台座３からなり、上蓮華と下蓮華の間、もしくは当該蓮台４と台座３の間に高さ調整を目的とした着脱自在の調整部材５を配設している。上下蓮華の形態については実施例に限定を受けるものではない。同じく調整部材５の枚数は複数枚とするが、枚数に限定を受けるものではない。
【実施例３】
【００１３】  図３に示すように、高さ調整を目的とした着脱自在の調整部材５を蓮台４の上部に配設してもよい。調整部材５の枚数は複数枚とするが、枚数に限定を受けるものではない。【００１４】  載置台１の上面２に、骨つぼ６の底面の直径に対応した凹部を設けることも可能である。また蓮台４と台座３の組み合わせに限らず、蓮華部分そのものを載置台１とすることもできる。尚、本実施例においては、載置台１を略円形としているが、多角形の骨つぼに対応すべく、四角、八角等の多角形とすることも可能である。
【産業上の利用可能性】
【００１５】  本考案は、略円形の周面を蓮華形状とし、当該蓮台４の下部に台座３を設け、蓮台４と台座３間には高さ調整を目的とした調整部材６を配設してなる骨つぼ載置台１であり、更には、蓮台４を上下蓮華とし、当該蓮台４の下方に台座３を設け、上蓮華と下蓮華の間、もしくは蓮台４と台座３の間には高さ調整を目的とした着脱自在の調整部材６を配設したことを特徴とする骨つぼ載置台１であるから、従来の骨つぼ５を当該骨つぼ載置台１の上に載置して骨つぼ５と載置台１を略一体化すれば、骨つぼの下部周面に蓮華模様を施した陶磁器製骨つぼと同様になり、外観的にも骨つぼの下方に蓮華があることから豪華であり、また美麗である。しかも、骨つぼが蓮華台に載置されている状態になるので、当該蓮華は納骨される亡き人が成仏し霊山往生できるといわれていることから、骨つぼとしても誠に意義がある。その上、高さ調整を目的とした着脱自在の調整部材６を介在せしめているので、納骨ロッカーに骨つぼを納める場合にも、ロッカーの高さに対応して高さを調整して収めることができる等、産業上での利用可能性は極めて大きいものがある。
【図面の簡単な説明】
【００１６】
【図１】  骨つぼ載置台の斜視図
【図２】  他の実施例の骨つぼ載置台の正面図
【図３】  他の実施例の骨つぼ載置台の正面図
【図４】  骨つぼを載置した状態を示す正面図
【図５】  骨つぼを載置した状態を示す正面図
【符号の説明】
【００１７】  １  骨つぼ載置台
２  載置台上面
３  台座
４  蓮台
５  調整部材
６  骨つぼ
【図１】
0003158532.tif 000003
【図２】
0003158532.tif 000004
【図３】
0003158532.tif 000005
【図４】
0003158532.tif 000006
【図５】
0003158532.tif 000007